(57)【要約】【課題】消費電力の省力化を図りつつ、高速にネットワーク接続できる画像撮像装置を提供する。【解決手段】被写体像を撮像して画像データとして出力する機能と、画像データを画像ファイルとして記録する機能と、ＩＰネットワークに接続する機能と、外部装置とデータ通信するための機能と、外部装置へ画像データを転送するための通信モード設定機能とを画像撮像装置に搭載する。この画像撮像装置は、通信モード設定時にＩＰネットワークに接続する機能を搭載したブロックへの電力供給を開始し、通信モード終了時には該ブロックへの電力供給を停止する。また、画像撮像装置本体の電源投入後、最初の通信モード設定時にＩＰネットワークへの接続を確立し、２回目以降の通信モード設定時には最初の通信モード設定時に得たネットワーク通信情報によりＩＰネットワークへの接続を確立するようにして、電力消費を低減させた。【選択図】図１
2005086263.tif 000002
【特許請求の範囲】
【請求項１】
被写体像を撮像して画像データとして出力する撮像手段と、前記画像データを画像ファイルとして記録する記録手段と、ＩＰ（インターネット・プロトコル）ネットワークへ接続して外部装置と通信するネットワーク接続手段と、前記画像データを外部装置と授受する機能を設定する通信モード設定手段とを備え、前記ネットワーク接続手段は、前記ＩＰネットワークへの接続確立を、電源が投入後の最初の通信モード設定時に行うことを特徴とする画像撮像装置。
【請求項２】
請求項１に記載の画像撮像装置において、通信モード設定時に前記ネットワーク接続手段に電力を供給し、通信モードが終了したときに前記ネットワーク接続手段に電力供給を停止することを特徴とする画像撮像装置。
【請求項３】
請求項１に記載の画像撮像装置において、通信モード設定時に前記ネットワーク接続手段の省電力モードの解除をし、
通信モードが終了したときに前記ネットワーク接続手段を省電力モードへ設定することを特徴とする画像撮像装置。
【請求項４】
請求項１に記載の画像撮像装置において、前記ネットワーク接続手段は、最初の通信モード設定時には、動的にＩＰアドレスを割り当てるＤＨＣＰサーバより自動取得したネットワークの接続に必要な設定情報で、また、２回目以降の通信モード設定時には、最初の通信モード設定時に取得したネットワークの接続に必要な設定情報で、ネットワークへ接続することを特徴とする画像撮像装置。
【請求項５】
請求項４に記載の画像撮像装置において、前記ネットワーク接続手段は、２回目以降の通信モード設定時に、最初の通信モード設定時に取得したネットワークの接続に必要な設定情報で、ネットワーク接続が確立できなかった場合、再度ＤＨＣＰサーバよりネットワークの接続に必要な設定情報を自動取得してからネットワークに接続することを特徴とする画像撮像装置。
【請求項６】
被写体像を撮像して画像データとして出力する撮像手段と、前記画像データを画像ファイルとして記録する記録手段と、ＩＰ（インターネット・プロトコル）ネットワークへ接続して外部装置と通信するネットワーク接続手段とを備える画像撮像装置と、前記ＩＰネットワークを介して接続した外部装置の間で、前記画像撮像装置で撮影した画像データを前記外部装置と授受するためのネットワーク接続制御方法において、
前記画像撮像装置に電源が投入された後、最初の通信モード設定時には、前記ネットワーク接続手段へ電力を供給し、ＤＨＣＰサーバよりネットワークの接続に必要な設定情報を自動取得し、ネットワークへ接続を確立し、通信モードが終了したときには、前記ネットワーク接続手段へ電力供給を停止し、
２回目以降の通信モード設定時には、前記ネットワーク接続手段へ電力を供給し、最初の通信モード設定時に取得したネットワークの接続に必要な設定情報で、ネットワークへ接続を確立し、通信モードが終了したときには、前記ネットワーク接続手段へ電力供給を停止し、最初の通信モード設定時に取得したネットワークの接続に必要な設定情報で、ネットワーク接続が確立できなかったとき、再度ＤＨＣＰサーバより、ネットワークの接続に必要な設定情報を自動取得して、ネットワークに接続するようにしたことを特徴とするネットワーク接続制御方法。
【請求項７】
被写体像を撮像して画像データとして出力する撮像手段と、前記画像データを画像ファイルとして記録する記録手段と、
ＩＰ（インターネット・プロトコル）ネットワークへ接続して外部装置と通信するネットワーク接続手段とを備える画像撮像装置と、前記ＩＰネットワークを介して接続した外部装置の間で、前記画像撮像装置で撮影した画像データを前記外部装置と授受するためのネットワーク接続制御方法において、
前記画像撮像装置に電源が投入された後、最初の通信モード設定時には、前記ネットワーク接続手段の省電力モードを解除し、ＤＨＣＰサーバよりネットワークの接続に必要な設定情報を自動取得し、ネットワークへ接続を確立し、通信モードが終了したときには、前記ネットワーク接続手段を省電力モードへ設定し、
２回目以降の通信モード設定時には、前記ネットワーク接続手段の省電力モードを解除し、最初の通信モード設定時に取得したネットワークの接続に必要な設定情報で、ネットワークへ接続を確立し、通信モードが終了したときには、前記ネットワーク接続手段を省電力モードへ設定し、最初の通信モード設定時に取得したネットワークの接続に必要な設定情報で、ネットワーク接続が確立できなかったとき、再度ＤＨＣＰサーバより、ネットワークの接続に必要な設定情報を自動取得して、ネットワークに接続するようにしたことを特徴とするネットワーク接続制御方法。
【請求項８】
コンピュータに、請求項１乃至５のいずれかに記載の画像撮像装置の機能または請求項６または７に記載のネットワーク接続制御方法を実行させるためのプログラム。
【請求項９】
請求項８に記載のプログラムを記録したコンピュータ読み取り可能な記録媒体。
【発明の詳細な説明】
【技術分野】
【０００１】
本発明は、画像撮像装置、ネットワーク接続制御方法、プログラムおよび記録媒体に関し、具体的には、通信機能を備えた画像撮像装置のネットワーク接続時の処理技術に関する。
【背景技術】
【０００２】
近年、デジタルカメラ等と称され、被写体像を、例えばＣＣＤ（電荷結合素子）撮像素子等の固体撮像素子により撮像し、被写体の静止画像や動画像の画像データおよび音声を所定のフォーマットに従い圧縮して、フラッシュメモリ等のＩＣ（集積回路）メモリ媒体またはフロッピー（登録商標）ディスク等にデジタル的に記録するタイプの画像撮像装置が普及している。この種のデジタルカメラは、撮影後直ちに、内蔵の液晶ディスプレイ等で撮影内容の表示確認、パーソナルコンピュータ等による表示・加工編集およびプリントを行うことができる。
【０００３】
ネットワークのブロードバンド化が普及しており、ＡＤＳＬ（Asymmetric Digital Subscriber Line）やＦＴＴＨ（Fiber  to  the  Home）に見られるようなコンシューマ向けのアクセス回線やデジタル携帯電話やＰＨＳ（Personal Handyphone System）などの無線のインフラが整備されている。この携帯電話やＰＨＳなどの移動体情報処理サービスを利用して、遠隔地のパーソナルコンピュータ等に撮影した画像データを送信することができるデジタルカメラも提案されている。
【０００４】
一方、ＩＰ（インターネット・プロトコル）ネットワークで通信するためには、ネットワーク設定に必要な情報（ＩＰアドレスやコンフィギュレーション情報）の取得処理が必要である。この取得の仕組みとしてＤＨＣＰ（Dynamic Host Configuration Protocol）機能が考え出されている。ＤＨＣＰクライアントとＤＨＣＰサーバとが連携して動作すると共に、予めＤＨＣＰサーバにはＤＨＣＰクライアントに割り振るためのＩＰアドレスの他、ＩＰネットワークで通信するためのデフォルトゲートウェイやＤＮＳ（Domain Name System）等の各種サーバのＩＰアドレスを設定しておく。
【０００５】
ＤＨＣＰクライアントは、システムの起動時にＤＨＣＰサーバからこれらの情報を取得することでユーザの手を煩わすことなくネットワーク情報の設定を自動的に行える。ＤＨＣＰ機能は、モバイルコンピューティングに有効であるとともに、異なったネットワークアドレスを持つネットワークにＤＨＣＰクライアントの設置場所を移動したり、インターネットサービスプロバイダがダイアルアップユーザに対してＩＰアドレスを割り当てる場合などにも有効である。
【０００６】
さらに、携帯端末機器（携帯電話、ＰＨＳ、パーソナルコンピュータ、ＰＤＡ（Personal Digital Assistant）およびデジタルカメラ等）は、電源が投入されると携帯端末機器が搭載するすべての機能ブロックに電力を供給して使用するのが一般的であり、電池切れになるとこの携帯端末機器は使えなくなってしまう。
このため、特許文献１の技術では、外部装置とデータ通信するための送受信装置と、電池の残量を検出する電池残量検出装置と、検出した電池残量に基づいて可能動作時間を算出し、データ通信速度と算出した可能動作時間に基づき送信可能ファイルサイズを算出し、さらに、算出した送信可能ファイルサイズに基づいて送信すべき画像ファイルの解像度を決定する制御回路と、決定した解像度で送信すべき画像ファイルの再符号化を行う画像処理装置を備え、再符号化した送信すべき画像ファイルを送受信装置を介して外部装置に送信するようにして、デジタルカメラから外部のパーソナルコンピュータ等へ画像データ等を送信中に、電池切れによる画像データの転送の失敗を防止している。
【特許文献１】特開２００１−１４８８０２号公報
【発明の開示】
【発明が解決しようとする課題】
【０００７】
しかしながら、特許文献１に記述されたデジタルカメラは電源投入後、デジタルカメラの動作モードに関係なく、常に、デジタルカメラが搭載するすべての機能ブロックに電力を供給することにより、無駄な電力を消費するという問題があった。
また、携帯端末機器では、小型化の実装技術の進歩は著しく、多彩な機能を搭載して提供されているが、その半面、電源の細微化、供給電源の継続時間の長時間化と、消費電力の省電力化に問題を残している。
【０００８】
一方、ＩＰネットワークへの接続処理で、ＤＨＣＰ機能によるネットワーク設定に必要な情報の取得処理に時間がかかるという問題と、通信するたびに、取得処理が必要なため、ネットワークに多くのＤＨＣＰクライアントを接続し、１つのＤＨＣＰサーバで管理する場合には、ＤＨＣＰサーバへのトラヒック増大の問題が発生するという課題があった。
【０００９】
本発明は、上述の実情を考慮してなされたものであって、消費電力の省力化を図りつつ、高速にネットワーク接続できる画像撮像装置、ネットワーク接続制御方法、プログラムおよび記録媒体を提供することを目的とする。
【課題を解決するための手段】
【００１０】
上述の課題を解決するために、請求項１の画像撮像装置の発明は、被写体像を撮像して画像データとして出力する撮像手段と、前記画像データを画像ファイルとして記録する記録手段と、ＩＰ（インターネット・プロトコル）ネットワークへ接続して外部装置と通信するネットワーク接続手段と、前記画像データを外部装置と授受する機能を設定する通信モード設定手段とを備え、前記ネットワーク接続手段は、前記ＩＰネットワークへの接続確立を、電源が投入後の最初の通信モード設定時に行うことを特徴とする。
【００１１】
また、請求項２の発明は、請求項１に記載の画像撮像装置において、通信モード設定時に前記ネットワーク接続手段に電力を供給し、通信モードが終了したときに前記ネットワーク接続手段に電力供給を停止することを特徴とする。
【００１２】
また、請求項３の発明は、請求項１に記載の画像撮像装置において、通信モード設定時に前記ネットワーク接続手段の省電力モードの解除をし、通信モードが終了したときに前記ネットワーク接続手段を省電力モードへ設定することを特徴とする。
【００１３】
また、請求項４の発明は、請求項１に記載の画像撮像装置において、前記ネットワーク接続手段は、最初の通信モード設定時には、動的にＩＰアドレスを割り当てるＤＨＣＰサーバより自動取得したネットワークの接続に必要な設定情報で、また、２回目以降の通信モード設定時には、最初の通信モード設定時に取得したネットワークの接続に必要な設定情報で、ネットワークへ接続することを特徴とする。
【００１４】
また、請求項５の発明は、請求項４に記載の画像撮像装置において、前記ネットワーク接続手段は、２回目以降の通信モード設定時に、最初の通信モード設定時に取得したネットワークの接続に必要な設定情報で、ネットワーク接続が確立できなかった場合、再度ＤＨＣＰサーバよりネットワークの接続に必要な設定情報を自動取得してからネットワークに接続することを特徴とする。
【００１５】
また、請求項６の発明は、被写体像を撮像して画像データとして出力する撮像手段と、前記画像データを画像ファイルとして記録する記録手段と、ＩＰ（インターネット・プロトコル）ネットワークへ接続して外部装置と通信するネットワーク接続手段とを備える画像撮像装置と、前記ＩＰネットワークを介して接続した外部装置の間で、前記画像撮像装置で撮影した画像データを前記外部装置と授受するためのネットワーク接続制御方法において、前記画像撮像装置に電源が投入された後、最初の通信モード設定時には、前記ネットワーク接続手段へ電力を供給し、ＤＨＣＰサーバよりネットワークの接続に必要な設定情報を自動取得し、ネットワークへ接続を確立し、通信モードが終了したときには、前記ネットワーク接続手段へ電力供給を停止し、２回目以降の通信モード設定時には、前記ネットワーク接続手段へ電力を供給し、最初の通信モード設定時に取得したネットワークの接続に必要な設定情報で、ネットワークへ接続を確立し、通信モードが終了したときには、前記ネットワーク接続手段へ電力供給を停止し、最初の通信モード設定時に取得したネットワークの接続に必要な設定情報で、ネットワーク接続が確立できなかったとき、再度ＤＨＣＰサーバより、ネットワークの接続に必要な設定情報を自動取得して、ネットワークに接続するようにしたことを特徴とする。
【００１６】
請求項７の発明は、被写体像を撮像して画像データとして出力する撮像手段と、前記画像データを画像ファイルとして記録する記録手段と、ＩＰ（インターネット・プロトコル）ネットワークへ接続して外部装置と通信するネットワーク接続手段とを備える画像撮像装置と、前記ＩＰネットワークを介して接続した外部装置の間で、前記画像撮像装置で撮影した画像データを前記外部装置と授受するためのネットワーク接続制御方法において、前記画像撮像装置に電源が投入された後、最初の通信モード設定時には、前記ネットワーク接続手段の省電力モードを解除し、ＤＨＣＰサーバよりネットワークの接続に必要な設定情報を自動取得し、ネットワークへ接続を確立し、通信モードが終了したときには、前記ネットワーク接続手段を省電力モードへ設定し、２回目以降の通信モード設定時には、前記ネットワーク接続手段の省電力モードを解除し、最初の通信モード設定時に取得したネットワークの接続に必要な設定情報で、ネットワークへ接続を確立し、通信モードが終了したときには、前記ネットワーク接続手段を省電力モードへ設定し、最初の通信モード設定時に取得したネットワークの接続に必要な設定情報で、ネットワーク接続が確立できなかったとき、再度ＤＨＣＰサーバより、ネットワークの接続に必要な設定情報を自動取得して、ネットワークに接続するようにしたことを特徴とする。
【００１７】
また、請求項８のプログラムの発明は、コンピュータに、請求項１乃至５のいずれかに記載の画像撮像装置の機能または請求項６または７に記載のネットワーク接続制御方法を実行させるためのプログラムである。
また、請求項９の記録媒体の発明は、請求項８に記載のプログラムを記録したコンピュータ読み取り可能な記録媒体である。
【発明の効果】
【００１８】
本発明によれば、最初の通信モード設定時に、ＩＰネットワークへ接続する機能を搭載するブロックに電力供給を開始し、通信モードが終了したときに、ＩＰネットワークへ接続する機能を搭載するブロックに電力の供給を停止することで、ネットワークの切断中は通電をしないため、無駄な電力の消費がなくなり、消費電力の省力化を実現できる画像撮像装置が提供できる。
【００１９】
また、画像撮像装置本体の電源が投入後、ネットワークに接続するときに、ＤＨＣＰサーバからのネットワーク設定に必要な情報の取得が１回だけで、２回目の以降の接続は、ＤＨＣＰサーバからのネットワーク設定に必要な情報の取得に要する処理を実行しないため、通信するたびにネットワークへの接続時間がかかってしまうという問題を解消するとともに、迅速にネットワークへ接続できる。また、ＤＨＣＰサーバへの取得要求の回数が減少し、ＤＨＣＰサーバのトラヒック増大を解消し、スループットが大きく向上する。
【発明を実施するための最良の形態】
【００２０】
以下、図面を参照して本発明の画像撮像システムに係る好適な実施形態について説明する。なお、本実施形態では、被写体像を撮像して画像データの出力が可能なカメラ、デジタルカメラ、デジタルビデオカメラ等の画像撮像装置に適用することができるが、本実施の形態では、デジタルカメラを例にして説明する。
【００２１】
図１は、本実施形態に係る画像撮像システムの全体構成を示す構成図である。同図において、画像撮像システムは、画像撮像装置１００，１００ａ，１００ｂと、携帯電話２００と、ワークステーション（以下、ＷＳ）３００ａ，３００ｂと、ローカルエリアネットワーク（以下、ＬＡＮ）３５０ａ，３５０ｂと、ネットワーク４００と、サーバ装置４５０ａ、４５０ｂと、ＰＳＴＮ（公衆回線網）５００などを備えている。
【００２２】
そして、画像撮像装置１００，１００ａ，１００ｂには、ＤＨＣＰクライアントの機能と通信機能とが搭載されていると共に、サーバ装置４５０には、ＤＨＣＰ（Dynamic Host Configuration Protocol）サーバの機能およびメールサーバの機能等の通信機能が搭載されている。
【００２３】
画像撮像装置１００は、（１）携帯電話２００を使う場合には、ＰＳＴＮ（公衆回線網）５００を介し、インターネットサービスプロバイダのアクセスポイントにＰＰＰ（Point to Point Protocol）接続し、インターネットサービスプロバイダを経由してネットワーク（ここでは、インターネット）４００に接続される、また、（２）ネットワーク通信カードやＬＡＮ端子による場合には、ＬＡＮ３５０経由でネットワーク４００に接続される。
ＷＳ３００ａおよびサーバ装置４５０ａは、それぞれＬＡＮ３５０ａに接続され、ＬＡＮ３５０ａ経由でネットワーク４００に接続される。
さらに、ＷＳ３００ｂおよびサーバ装置４５０ｂは、それぞれＬＡＮ３５０ｂに接続され、ＬＡＮ３５０ｂ経由でネットワーク４００に接続される。
【００２４】
本発明では、ＤＨＣＰ機能の技術を使って、最初の通信モードを設定したときに、動的にＩＰアドレスの割り当て、終了時にＩＰアドレスを回収するためのＤＨＣＰサーバ機能をサーバ装置４５０ａ，４５０ｂに搭載し、画像撮像装置１００，１００ａ，１００ｂのＤＨＣＰクライアント機能を通して、画像撮像装置１００，１００ａ，１００ｂがネットワーク接続に必要なＩＰアドレスを自動取得し、ネットワーク４００との接続制御を行い、画像撮像装置１００，１００ａ，１００ｂによって撮影された画像データやマイクから入力した音データをネットワーク４００を介して外部装置（ここでは、ＷＳや画像撮像装置）へ送信する。
【００２５】
図２は、本発明の実施形態に係る画像撮像装置１００の構成を示すブロック図であり、同図において、画像撮像装置１００は、画像撮像装置の装置全体の制御を行うシステム制御部１０１と、被写体像を撮像して画像データに変換する撮像部１０２と、撮像部１０２から出力される画像データに対して画像処理等を行う画像処理部１０３と、画像処理部１０３で処理された画像のＬＣＤ１０５への表示制御を行う表示制御部１０４と、画像等が表示されるＬＣＤ（液晶ディスプレイ）１０５と、記録メディア１０７のインターフェイスである記録メディアインターフェイス部１０６と、圧縮された画像データや音声データ等が格納される記録メディア１０７と、操作部１０９のキー操作を検出するためのハードキーインターフェイス部１０８と、撮影者が画像撮像装置に動作指示を与えるための操作部１０９と、ネットワーク接続部１１１と、マイク１１３から入力された音声信号や音信号等を記録する音記録部１１２と、記録された音声信号や音信号等をスピーカ１１５から出力する音再生部１１４と、電源部１１６から構成されている。
【００２６】
システム制御部１０１は、画像撮像装置１００の装置全体の制御をするものであり、ＲＯＭに格納されたプログラム実行させるＣＰＵと、画像撮像装置１００の装置全体を制御するためのプログラムを格納したＲＯＭと、ワークエリアとして使用されるＲＡＭと、固有な各種の情報と、各種の管理テーブルを記憶し、不慮の電源断、安全のための電源断などでこれらのパラメータの内容が失われることがないように、バッテリ（不図示）によりバックアップされているパラメータＲＡＭと、時間を計時するためのタイマ等を備える。
【００２７】
撮像部１０２は、被写体像を撮像して画像データを出力するためのものであり、被写体像を結像するためのレンズや該レンズを駆動するためのレンズ駆動モータ等の光学系部品、結像された被写体像を電気信号（アナログの画像データ）に変換するＣＣＤ、該ＣＣＤを駆動するためのＣＣＤ駆動回路、ＣＣＤから出力されるアナログの画像データをデジタル信号（デジタル画像データ）に変換するＡ／Ｄ変換器等を備える。
【００２８】
画像処理部１０３は、画像処理用ＤＳＰ（デジタルシグナルプロセッサ）、メモリ等から構成され、撮像部１０２で得られたデジタル画像データについて、色差（Ｃｂ，Ｃｒ）と輝度（Ｙ）に分けて各種処理、補正および画像圧縮／伸長のためのデータ処理を行うと共に、撮像部１０２のＣＣＤ駆動タイミング、レンズ駆動モータを制御してフォーカシング、露出調整等を行い、また、画像の圧縮／伸長処理は、例えば、ＪＰＥＧに準拠した圧縮（符号化）、伸長（復号化）処理を施す。
【００２９】
表示制御部１０４は、画像処理部１０３で処理された画像データをＬＣＤ１０５へ表示するための信号処理を行い、また、ユーザインターフェイスのための種々のグラフィック画像を生成し、ＬＣＤ１０５に表示するためのものである。
ＬＣＤ１０５は、表示制御部１０４の表示制御により画像データや操作メニュー等を表示し、ユーザインターフェイスのためのグラフィックを表示する。
【００３０】
記録メディアインターフェイス部１０６は、メモリカードコントローラ等から構成され、記録メディア１０７とのインターフェイス動作を実行する。
記録メディア１０７は、コンパクトフラッシュ（Ｒ）やスマートメディア等からなり、圧縮処理された画像データおよび音声データ等が記録されるデータカード、また、ＩＳＤＮ網やＰＳＴＮ網等の公衆網に接続する為の通信モデムカードやＬＡＮのネットワークに接続するためのＬＡＮ通信カード等からなり、画像撮像装置から着脱可能な記録メディアである。
【００３１】
ハードキーインターフェイス部１０８は、サブＣＰＵ等から構成され、図示されていない画像撮像装置の操作をする複数の操作キーおよびダイヤル等の状態検出するために設けられたパラレルポート等を備える。
操作部１０９は、撮影者が画像撮像装置に動作指示を与えるためのものであり、撮影を指示するレリーズボタン、自然画を撮影するための通常撮影モードと文字をきれいに撮影するための文書撮影モードとを切り替える撮影モードキー、定型文書サイズ（Ａ版、レター、リーガル等）を選択する定型文書サイズ設定キー等を備える。
【００３２】
ネットワーク接続部１１１は、（１）携帯電話２００を介してＰＳＴＮ（公衆回線網）５００を経由してネットワーク４００へ接続する場合と、（２）直接ネットワークへ接続する場合とを選択できる。ネットワーク接続部１１１は、撮影者により通信モードが設定されると、電源部１１６から電力が供給され、通信モードが終了すると電力の供給を停止する。
【００３３】
（１）の場合には、有線または無線方式で携帯電話（９６００ｂｐｓ）、３２Ｋ用ＰＨＳ（３２Ｋｂｐｓ）、６４Ｋ用ＰＨＳ（６４Ｋｂｐｓ）等の通信装置を介して外部とデータ通信を行うために設けられた通信コントローラ等からなる。なお、携帯電話のインターフェイスプロトコル機能を記録メディア１０７の通信カード（記録メディア１０７）で実現する構成としても良い。
（２）の場合には、イーサネット（登録商標）接続回路もしくは、無線イーサネット（登録商標）接続回路等からなり、ＬＡＮ３５０ａ，３５０ｂを経由してネットワーク４００へ接続する。なお、記録メディアインターフェイス部１０６にＬＡＮ通信カード（記録メディア１０７）を装着して実現する構成としても良い。
【００３４】
音記録部１１２は、マイク１１３を接続し、マイク１１３から入力された音声信号や音信号等を増幅するマイクアンプ（不図示）に接続され、増幅された音声信号や音信号等を記録する音記録回路等を備える。
【００３５】
音再生部１１４は、記録された音声信号や音信号等をスピーカ１１５から出力できる信号に変換する再生回路、変換された音声信号や音信号等を増幅し、スピーカを駆動するためのオーディオアンプ（不図示）等を備える。
【００３６】
電源部１１６は、画像撮像装置内の各種ブロックに電力を供給する。システム制御部１０１は電源部１１６に通電の要求を指令することにより、電源部１１６からネットワーク接続部１１１（但し、通信カードが挿入されているときには記録メディアインターフェイス部１０６も含まれる）へ電力供給を開始する。また、外部装置との通信が切断されると、ネットワーク接続部１１１へ電力供給を停止する。
【００３７】
次に、上記構成の画像撮像装置１００のモードダイヤル（不図示）により選択されたモードの処理を説明する。図３は、画像撮像装置１００のモードダイヤル（不図示）で選択された動作モードの処理手順を説明するためのフローチャートである。
【００３８】
画像撮像装置１００に電源が投入されると、システム制御部１０１の制御に従って、初期化の処理を実行する(ステップＳ１００)。初期化の処理が終了すると、画像撮像装置１００は、撮影者の操作待ちとなる。撮影者が携帯電話やＰＨＳ等を使って通信処理を行う場合には、画像撮像装置１００へ接続しておく。
【００３９】
撮影者がモードダイヤル（不図示）を操作して、動作モードを設定すると、設定されたモードの検証を実施する(ステップＳ１０１)。検証により、撮影モードを選択したことが検証されると、撮影モード処理になる(ステップＳ１０２)。
撮影者により送信操作が行われると(ステップＳ１０３のＹＥＳ)、接続処理機能が起動され(ステップＳ１０５)、ネットワークへの接続が確立すると、撮影した画像データを外部装置へ送信するために、制御を送信処理に移して画像データの送信を開始し、送信が終了すると、ステップＳ１０１に戻って操作待ちとなる(ステップＳ１０６)。
【００４０】
また、撮影者により撮影モードに係わる操作が選択されたとき(ステップＳ１０３のＮＯ，Ｓ１０４のＹＥＳ)、制御をステップＳ１０２に移して処理を続ける。あるいは、動作モードの変更が選択されると(ステップＳ１０３のＮＯ，Ｓ１０４のＮＯ)、制御をステップＳ１０１に移して操作待ちとなる。
【００４１】
また、検証（ステップＳ１０１）により再生モードを選択したと検証されると、再生モードになり、再生モード処理を実行し(ステップＳ１０７)、操作待ちとなる。
撮影者により送信操作が行われると(ステップＳ１０８のＹＥＳ)、接続処理機能が起動され(ステップＳ１１０)、ネットワークへの接続が確立する。撮影者が送信するファイル（画像データ、音データ）の選択を行うと(ステップＳ１１１)、制御を送信処理に移し、選択したファイルの送信を開始し、送信が終了すると(ステップＳ１１２)、ステップＳ１０１に戻って操作待ちとなる。
【００４２】
また、撮影者により再生モードに係わる操作が選択されたとき(ステップＳ１０８のＮＯ，Ｓ１０９のＹＥＳ)、制御をステップＳ１０７に移し、処理を続ける。あるいは、動作モードが変更されると(ステップＳ１０８のＮＯ，Ｓ１０９のＮＯ)、ステップＳ１０１に移して操作待ちとなる。
【００４３】
さらに、検証（ステップＳ１０１）により、サーバモードが選択されたと検証されると、接続処理機能が起動され(ステップＳ１１３)、ネットワークへの接続が確立すると、サーバモードの処理が実行され(ステップＳ１１４)、ステップＳ１０１に戻って操作待ちとなる。
【００４４】
最後に、画像撮像装置１００の電源スイッチ（不図示）が押下されると、電源部１１６は、画像撮像装置１００内の各種ブロックに電力の供給を停止してすべての処理を終了する。
【００４５】
次に、図４は、画像撮像装置１００がインターネットプロトコルネットワークへの接続を確立するまでの処理手順を説明するためのフローチャートである。
【００４６】
撮影者により通信モード（電子メール送信、ＦＴＰアップロード、サーバモード）が選択されると(ステップＳ２００のＹＥＳ、ステップＳ２０１のＹＥＳ、ステップＳ２０２のＹＥＳ)、システム制御部１０１は電源部１１６に通電の要求指令を出し、要求指令を受けた電源部１１６は、ネットワーク接続部１１１に電力供給を開始する(ステップＳ２０３)。（但し、記録メディアインターフェイス部１０６に通信カードを挿入してネットワーク接続をしたときは、記録メディアインターフェイス部１０６にも電力供給を開始する。）
【００４７】
上記電力供給を開始する部分は、省電力モードの解除としてもよい。例えば、ネットワーク接続部１１１は、無線ＩＣと周辺回路より構成されており、システム制御部１０１は、ネットワーク接続部１１１の無線ＩＣの省電力モードの解除設定を行う。
通信カードを使用した場合は、システム制御１０１の命令により、記録メディアインターフェイス部１０６より、通信カードの省電力モードの解除設定を行う。
【００４８】
次に、画像撮像装置１００に電源が供給され、最初の通信の場合(ステップＳ２０４のＹＥＳ)、ＤＨＣＰサーバ機能を搭載するサーバ装置４５０へ、ＩＰアドレスの取得要求を出し、取得したＩＰアドレスをシステム制御部１０１内のパラメータＲＡＭに格納する。取得したＩＰアドレスを基に、インターネットプロトコルネットワークへの接続要求を行う(ステップＳ２０６)。接続要求後、接続が確立したとき(ステップＳ２０７のＹＥＳ)、本機能を終了し制御を起動元に戻す。
一方、接続ができなかったとき(ステップＳ２０７のＮＯ)、再度、ＤＨＣＰサーバ機能を搭載するサーバ装置４５０へ、ＩＰアドレスの取得要求を出すために制御をステップＳ２０６に移す。
【００４９】
また、２回目以降の通信の場合(ステップＳ２０４のＮＯ)、既に、システム制御部１０１内のパラメータＲＡＭに格納されたＩＰアドレスを基に、インターネットプロトコルネットワークへの接続要求を行って(ステップＳ２０５)、ステップＳ２０７で接続が成功したかを調べる。
【００５０】
上述したように、画像撮像装置１００に電源を投入後、最初の通信モードを設定したときにネットワーク接続を行うので、通信モードが設定されるまではネットワークに接続されることはなく電力消費を低減させることができる。
【００５１】
また、ネットワークに接続するときに、ＤＨＣＰサーバからのネットワーク設定に必要な情報の取得が１回だけで、２回目の以降の接続は、ＤＨＣＰサーバからのネットワーク設定に必要な情報の取得に要する処理を実行しないため、通信するたびに、ネットワークへの接続時間がかかってしまうという問題を解消するとともに、迅速にネットワークへ接続できる。
また、ＤＨＣＰサーバへの取得要求の回数が減少し、ＤＨＣＰサーバのトラヒック増大を解消し、スループットが大きく向上する。
【００５２】
さらに、ネットワークに接続するときに、前回取得したネットワーク設定に必要な情報で、ネットワーク接続ができなかったときは、再度ＤＨＣＰサーバよりネットワーク設定に必要な情報を取得するので、ＩＰアドレスの期限切れがあった場合でも、常に、ネットワークに接続することができ、装置のパフォーマンスを安定させることで、画像撮像装置の可用性が向上するとともに、利用効率が大幅に向上する。
【００５３】
次に、図５は、画像撮像装置１００がインターネットプロトコルネットワークを介し、外部装置へ画像データを送信するまでの処理手順を説明するためのフローチャートである。
【００５４】
まず、撮影者が送信するファイル（画像データや音データ）の選択が完了し(ステップＳ３００)、送信するファイルが選択されたことを確認して送信を選択すると、送信メニューが表示され、メールを選択する(ステップＳ３０１のＹＥＳ)。撮影者は、画像撮像装置１００が搭載するソフトキーボードを使用してタイトルおよび本文を入力し、送信する本文に選択したファイルを添付し、送信先を入力後、接続条件を確認して送信を開始する(ステップＳ３０３)。
送信が終了すると、システム制御部１０１は電源部１１６に電力の遮断指令を出し、遮断指令を受けた電源部１１６は、ネットワーク接続部１１１へ電力供給を停止して、制御を起動元に戻す(ステップＳ３０５)。但し、記録メディアインターフェイス部１０６に通信カードを挿入してネットワーク接続をしたときには、記録メディアインターフェイス部１０６も電力供給を停止する。
【００５５】
また、送信メニューからＦＴＰが選択されると（ステップＳ３０２のＹＥＳ）、選択された画像を画像撮像装置１００が搭載するテンプレートを使って、ＨＴＭＬ形式のファイルに変換し、接続条件を確認後、ＦＴＰアップロード機能により送信先にアップロードし、全ての画像や音データの送信が終了し、処理を終了すると、システム制御部１０１は電源部１１６に電力の遮断指令を出し、遮断指令を受けた電源部１１６は、ネットワーク接続部１１１へ電力供給を停止し、制御を起動元に戻す(ステップＳ３０４)。但し、記録メディアインターフェイス部１０６に通信カードを挿入してネットワーク接続をしたときには、記録メディアインターフェイス部１０６も電力供給を停止する。
【００５６】
上記電力供給を開始する部分は、省電力モードの解除としてもよい。例えば、ネットワーク接続部１１１は、無線ＩＣと周辺回路より構成されており、システム制御部１０１は、ネットワーク接続部１１１の無線ＩＣの省電力モードの設定を行う。
通信カードを使用した場合は、システム制御１０１の命令により、記録メディアインターフェイス部１０６より、通信カードの省電力モードの設定を行う。
【００５７】
上述したように、撮影した画像データや音データを電子メールの添付ファイルとして外部装置に送出したり、ＦＴＰアップロード機能により所定の外部装置へ画像データや音データをアップロードできるので、すばやい情報の公開が可能となる。
【００５８】
また、通信モードが終了したときに、ＩＰネットワークへ接続する機能を搭載するブロックに電力供給を停止することで、ネットワークの切断中は通電しないので、電力消費を低減させることができる。
【００５９】
次に、図６は、画像撮像装置１００がインターネットプロトコルネットワークを介し、外部装置からの要求を処理するサーバモードの処理手順を説明するためのフローチャートである。
【００６０】
モードダイヤル（不図示）で、サーバモードが選択され、インターネットプロトコルネットワークへの接続が確立すると、サーバモードに制御が移り処理を続ける。
サーバモードでは、インターネットプロトコルネットワーク上のクライアント機能を搭載した外部装置（パーソナルコンピュータ、ＰＤＡ（Personal Digital Assistant）、ワークステーション等）から要求が着信すると、要求に従って処理を行う（ステップＳ４００）。
【００６１】
モード変更があった場合は（ステップＳ４０１のＹＥＳ）、システム制御部１０１は電源部１１６に電力の遮断指令を出し、遮断指令を受けた電源部１１６は、ネットワーク接続部１１１へ電力供給を停止し、制御を起動元に戻す（ステップＳ４０２)。但し、記録メディアインターフェイス部１０６に通信カードを挿入してネットワーク接続をしたときには、記録メディアインターフェイス部１０６も電力供給を停止する。
【００６２】
以上に説明した構成により、画像撮像装置本体の電源が投入されたのち、通信モードが設定されたときに、ＩＰネットワークへ接続する機能を搭載するブロックに電力供給を開始し、通信モードが終了したときに、ＩＰネットワークへ接続する機能を搭載するブロックに電力の供給を停止するので、ネットワークの切断中は通電をしないため、無駄な電力の消費がなくなり、消費電力の省力化を実現できる画像撮像装置が提供できる。
【００６３】
本発明は、上述した実施形態に係る画像撮像装置の機能をプログラム化し、予めＲＯＭのような記録媒体に書き込んでおき、画像撮像装置にこのＲＯＭを装着して実行することによって、本発明の目的が達成されることは言うまでもない。
この場合、ＲＯＭから読み出されて実行された状態が上述した実施の形態に係る機能を実現することになり、そのプログラムおよびそのプログラムを記録したＲＯＭも本発明を構成することになる。
【００６４】
なお、上述した実施の形態に係る画像撮像装置の機能を実現するプログラムは、半導体媒体（例えば、ＲＯＭ、不揮発性メモリ等）、光媒体（例えば、ＤＶＤ、ＭＯ、ＭＤ、ＣＤ等）、磁気媒体（例えば、磁気テープ、フレキシブルディスク等）等のいずれの形態に係る記録媒体で提供されてもよい。
あるいは、ネットワーク等の通信網を介して記憶装置に格納された、上述したプログラムをサーバコンピュータから直接供給を受けるようにしてもよい。
【図面の簡単な説明】
【００６５】
【図１】画像撮像システムの全体構成を示す構成図である。
【図２】画像撮像装置の構成を示すブロック図である。
【図３】画像撮像装置のモードダイヤルで選択された動作モードの処理手順を説明するためのフローチャートである。
【図４】像撮像装置がインターネットプロトコルネットワークへの接続を確立するまでの処理手順を説明するためのフローチャートである。
【図５】画像撮像装置がインターネットプロトコルネットワークを介し、外部装置へ画像データを送信するまでの処理手順を説明するためのフローチャートである。
【図６】画像撮像装置がインターネットプロトコルネットワークを介し、外部装置からの要求を処理するサーバモードの処理手順を説明するためのフローチャートである。
【符号の説明】
【００６６】
１００，１００ａ，１００ｂ…画像撮像装置、１０１…システム制御部、１０２…撮像部、１０３…画像処理部、１０４…表示制御部、１０５…ＬＣＤ、１０６…記録メディアインターフェイス部、１０７…記録メディア、１０８…ハードキーインターフェイス部、１０９…操作部、１１１…ネットワーク接続部、１１２…音記録部、１１３…マイク、１１４…音再生部、１１５…スピーカ、１１６…電源部、２００…携帯電話、３００ａ，３００ｂ…ワークステーション、３５０ａ，３５０ｂ…ローカルエリアネットワーク、４００…ネットワーク、４５０ａ，４５０ｂ…サーバ装置、５００…ＰＳＴＮ（公衆回線網）。
【図１】
2005086263.tif 000003
【図２】
2005086263.tif 000004
【図３】
2005086263.tif 000005
【図４】
2005086263.tif 000006
【図５】
2005086263.tif 000007
【図６】
2005086263.tif 000008